(57)【特許請求の範囲】
【請求項１】
身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値と過去の生体電気インピーダンス値の推移を表示するためのインピーダンス表示手段と、体重を測定するための体重測定手段と、該測定された体重を記憶するための体重記憶手段と、該測定された体重と過去の体重との差異に基づいて前記測定された生体電気インピーダンス値を補正するための補正手段とを備えており、前記インピーダンス記憶手段は、該体重補正された生体電気インピーダンス値を記憶し、前記インピーダンス表示手段は、該体重補正された生体電気インピーダンス値と過去の体重補正された生体電気インピーダンス値の推移を表示することを特徴とする婦人の月周期で現れる体調を管理するための婦人用体調管理装置。
【請求項２】
体温を測定するための体温測定手段と、該測定された体温を記憶するための体温記憶手段と、該測定された体温と過去の体温の推移を表示するための体温表示手段とを更に備える請求項１に記載の婦人用体調管理装置。
【請求項３】
前記測定された体重を表示するための体重表示手段を更に備える請求項１に記載の婦人用体調管理装置。
【請求項４】
前記測定された生体電気インピーダンス値に基づいて体脂肪率を測定するための演算手段と、該測定された体脂肪率を表示するための体脂肪率表示手段とを更に備える請求項１に記載の婦人用体調管理装置。
【請求項５】
身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値と過去の測定された生体電気インピーダンス値の推移に基づいて婦人の月周期で現れる体調を判定するための判定手段と、該判定された体調を表示するための体調表示手段とを備えることを特徴とする婦人の月周期で現れる体調を管理するための婦人用体調管理装置。
【請求項６】
体温を測定するための体温測定手段と、該測定された体温を記憶するための体温記憶手段とを更に備えており、前記判定手段は、該測定された体温と過去の体温の推移及び前記測定された生体電気インピーダンス値と過去のインピーダンス値の推移に基づいて婦人の月周期で現れる体調を判定する請求項５に記載の婦人用体調管理装置。
【請求項７】
体重を測定するための体重測定手段と、該測定された体重を記憶するための体重記憶手段と、該測定された体重と過去の体重との差異に基づいて前記測定された生体電気インピーダンス値を補正するための補正手段とを更に備えており、前記インピーダンス記憶手段は、該体重補正された生体電気インピーダンス値を記憶し、前記判定手段は、該体重補正された生体電気インピーダンス値と過去の体重補正された生体電気インピーダンス値の推移に基づいて婦人の月周期で現れる体調を判定する請求項５に記載の婦人用体調管理装置。
【請求項８】
体温を測定するための体温測定手段と、該測定された体温を記憶するための体温記憶手段とを更に備えており、前記判定手段は、該測定された体温と過去の体温の推移及び前記体重補正された生体電気インピーダンス値と過去の体重補正された生体電気インピーダンス値の推移に基づいて婦人の月周期で現れる体調を判定する請求項７に記載の婦人用体調管理装置。
【請求項９】
前記測定された体重を表示するための体重表示手段を更に備える請求項７または８に記載の婦人用体調管理装置。
【請求項１０】
前記判定された体調に関連するアドバイスを表示するためのアドバイス表示手段を更に備える請求項５から９のうちのいずれか１項に記載の婦人用体調管理装置。
【発明の詳細な説明】
【０００１】
【発明の属する技術分野】
本発明は、排卵日、ＰＭＳ期、月経期、妊娠可能期等の婦人の月周期で現れる体調を判定するための婦人用体調管理装置に関する。
【０００２】
【従来の技術】
婦人の月周期で現れる体調は基礎体温と密接な関係を有しており、図１に示されるように、排卵日を境に基礎体温は低温期から高温期に推移し、月経開始日を境に低温期から高温期に推移するということが知られている。従来、この関係を利用して、婦人用基礎体温計で毎朝起床時に基礎体温の推移を測定、記録することにより、婦人の月周期で現れる体調が判定されてきた。
【０００３】
【発明が解決しようとする課題】
この従来の基礎体温の推移に基づく体調判定では、毎日起床時に横臥位の静止した状態で通常約５分間程度の時間をかけて基礎体温を測定しなければならず、これを実際に実施するのは非常に面倒であり、被判定者が測定中に再び眠ってしまい寝過してしまう原因にもなっている。
【０００４】
また、基礎体温の推移に基づく婦人の体調判定では、主にバースコントロールに活用されている排卵日、月経期及び妊娠可能期等を判定することはできるが、近年、婦人の日常生活上の問題として認識が高まっているＰＭＳ（Premenstrual Syndrome：月経前症候群）期を判定することはできない。月経開始の７日程前から始まるＰＭＳ期には、多くの婦人が頭痛やイライラ、腹痛、むくみ等の何らかの不快な症状に悩まされており、「自分はＰＭＳ期にある」と自覚することが、その症状緩和のための有効な一手段であるといわれている。
【０００５】
本発明の目的は、上述したような従来技術の問題点を解消し、ＰＭＳ期を含む婦人の月周期で現れる体調を迅速かつ容易に判定可能であり、バースコントロールのみならず婦人の日常の体調管理にも役立てることができるような婦人用体調管理装置を提供することである。
【０００６】
【課題を解決するための手段】
本発明の一つの観点によれば、身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値と過去の生体電気インピーダンス値の推移を表示するためのインピーダンス表示手段と、体重を測定するための体重測定手段と、該測定された体重を記憶するための体重記憶手段と、該測定された体重と過去の体重との差異に基づいて前記測定された生体電気インピーダンス値を補正するための補正手段とを備えており、前記インピーダンス記憶手段は、該体重補正された生体電気インピーダンス値を記憶し、前記インピーダンス表示手段は、該体重補正された生体電気インピーダンス値と過去の体重補正された生体電気インピーダンス値の推移を表示することを特徴とする婦人の月周期で現れる体調を管理するための婦人用体調管理装置が提供される。
【０００７】
本発明の一つの実施の形態によれば、前記婦人用体調管理装置は、体温を測定するための体温測定手段と、該測定された体温を記憶するための体温記憶手段と、該測定された体温と過去の体温の推移を表示するための体温表示手段とを更に備える。
【０００８】
本発明の別の実施の形態によれば、前記婦人用体調管理装置は、前記測定された体重を表示するための体重表示手段を更に備える。
【０００９】
本発明のさらに別の実施の形態によれば、前記婦人用体調管理装置は、前記測定された生体電気インピーダンス値に基づいて体脂肪率を測定するための演算手段と、該測定された体脂肪率を表示するための体脂肪率表示手段とを更に備える。
【００１０】
本発明の別の観点によれば、身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値と過去の測定された生体電気インピーダンス値の推移に基づいて婦人の月周期で現れる体調を判定するための判定手段と、該判定された体調を表示するための体調表示手段とを備えることを特徴とする婦人の月周期で現れる体調を管理するための婦人用体調管理装置が提供される。
【００１１】
本発明の一つの実施の形態によれば、前記婦人用体調管理装置は、体温を測定するための体温測定手段と、該測定された体温を記憶するための体温記憶手段とを更に備えており、前記判定手段は、該測定された体温と過去の体温の推移及び前記測定された生体電気インピーダンス値と過去のインピーダンス値の推移に基づいて婦人の月周期で現れる体調を判定する。
【００１２】
本発明の別の実施の形態によれば、前記婦人用体調管理装置は、体重を測定するための体重測定手段と、該測定された体重を記憶するための体重記憶手段と、該測定された体重と過去の体重との差異に基づいて前記測定された生体電気インピーダンス値を補正するための補正手段とを更に備えており、前記インピーダンス記憶手段は、該体重補正された生体電気インピーダンス値を記憶し、前記判定手段は、該体重補正された生体電気インピーダンス値と過去の体重補正された生体電気インピーダンス値の推移に基づいて婦人の月周期で現れる体調を判定する。
【００１３】
本発明のさらに別の実施の形態によれば、前記婦人用体調管理装置は、体温を測定するための体温測定手段と、該測定された体温を記憶するための体温記憶手段とを更に備えており、前記判定手段は、該測定された体温と過去の体温の推移及び前記体重補正された生体電気インピーダンス値と過去の体重補正された生体電気インピーダンス値の推移に基づいて婦人の月周期で現れる体調を判定する。
【００１４】
本発明のさらに別の実施の形態によれば、前記婦人用体調管理装置は、前記測定された体重を表示するための体重表示手段を更に備える。
【００１５】
本発明のさらに別の実施の形態によれば、前記婦人用体調管理装置は、前記判定された体調に関連するアドバイスを表示するためのアドバイス表示手段を更に備える。
【００２０】
【発明の実施の形態】
本発明の婦人用体調管理装置について説明する前に、最初に、本発明の発明者が複数の被験者について測定を繰り返すことによって見出し、後述する本発明に係る婦人用体調管理装置による判定の基礎となる生体電気インピーダンス値（以下、ＢＩとする。）と婦人の月周期で現れる体調との関係について測定結果を示して説明する。以下で示す測定結果は一被験者の毎日起床時に測定した測定結果であり、ＢＩは両足間で測定されたものである。
【００２１】
先ず、ＢＩの推移の周期性について概要を説明すると、図２は、ＢＩ及び基礎体温の推移を示す図であり、移動平均法により各隣接する２つの測定値の平均値をグラフにしたものである。図２から、ＢＩは、ばらつきが大きいものの全体の傾向として、基礎体温の低温期には高値を示し、高温期には低値を示し、また、月経直前から月経前半期には一時上昇後に低値を示すといったように周期的に推移することが分かる。
【００２２】
次に、ＢＩと体重との関係について説明すると、図３は体重の推移を示す図である。図３から、測定期間中、被験者の体重は徐々に減少していることが分かる。そして、図４は、ＢＩと体重との相関関係を示す図である。図４から、ＢＩと体重との間には相関係数Ｒ＝０．５２７の有意な負の相関がある、すなわち、体重が減少するとＢＩは上昇し、体重が増加するとＢＩは下降するという関係があることが分かる。このような関係は、一般に体重の増減に伴って体内の水分も増減し、また、一般に体内の水分の増減に伴ってＢＩも増減するために生じると考えられる。以上から、図２に示したＢＩは図３に示した体重減少の影響を受けたものであることが分かる。
【００２３】
図５は、上述のような体重変化の影響を除去した体重補正ＢＩの推移を示す図である。体重補正ＢＩは、ＢＩから体重の増減に伴うＢＩの増減を減算もしくは加算することにより得られるものであり、補正式１もしくは補正式２から算出される。ここで、Ａ及びＢは補正係数である。
【００２４】
補正式１  ：  体重補正ＢＩ＝ＢＩ＋Ａ×初回に測定された体重との差異
補正式２  ：  体重補正ＢＩ＝ＢＩ＋Ｂ×前回測定された体重との差異
図５と図２とを比較すると、体重変化の影響が除去された体重補正ＢＩの推移は、補正されていないＢＩの推移に比べてより明確な周期性を示すことが分かる。
【００２５】
次に、ＢＩと基礎体温及びＰＭＳとの関係について説明する。図２及び図４から、ＢＩは基礎体温の低温期には高値を示し、高温期には低値を示すが、これに反して、図２及び図４に示されるように基礎体温の低温期にあたる月経直前から月経前半期には低値を示すことが分かる。このように、各期により相反する傾向を示すため、図６に示されるように、体重補正ＢＩと基礎体温との間には有意な相関は確認されない（相関係数Ｒ＝０．４２４）。
【００２６】
基礎体温の低温期にあたる月経直前から月経前半期に現われるＢＩの低値の要因としては、この期間に婦人の身体が水分を貯蔵してむくみを生じることが考えられる。むくみによって体内の水分が増加し、この体内の水分の増加によってＢＩの下降がもたらされれるのである。従って、ＢＩの推移と基礎体温及びむくみとの間には、むくみの発生と共にＢＩは低値を示し、その後、むくみの消失と共にＢＩは高値を示すという関係があることが分かる。そして、これは、ＢＩの推移に基づいて、基礎体温からは不可能であったむくみの判定が可能なことを示唆するもである。また、月経前に現れるむくみはＰＭＳと関係が深く、ＰＭＳはむくみと共に現れ、むくみがひどいほどＰＭＳも重くなることが知られている。従って、ＢＩの推移に基づいて、むくみの判定と同様にＰＭＳの判定も可能なことが分かる。
【００２７】
次に、ＢＩと婦人の月周期で現れる体調との関係について説明すると、図７及び図８は、体重補正ＢＩと婦人の月周期で現れる体調と基礎体温の推移を示す図である。図７及び図８には、ＢＩは婦人の月周期で現れる体調と関連して周期的に推移することが明確に現れている。そして、これは、図７及び図８に示されているＢＩと婦人の月周期で現れる体調との関係を利用することにより、ＢＩの推移に基づいて、婦人の月周期で現れる体調の判定が可能となることを示唆するものである。従って、例えば、図７、図８及び上述の説明から、ＢＩが高値から低値に推移したことにより排卵日を判定し、ＢＩの一時上昇により月経前を判定し、また、むくみ及びＰＭＳの発現を予測し、ＢＩの下降により月経開始を判定し、ＢＩの上昇によりＰＭＳの終了を判定し、ＢＩが高値で安定したことにより月経終了を判定するといったように婦人の月周期で現れる体調を判定することが可能である。
【００２８】
以上、一被験者の例で、両足間で測定されたＢＩと婦人の月周期で現れる体調との関係を上述したが、上述の関係は、本被験者においてのみ確認されたものではなく、他の被験者においても同様の関係が確認されており、一般婦人に普遍的に適用可能であると考える。また、両足間で測定されたＢＩに限られず、両手間及び手足間で測定されたＢＩと婦人の月周期で現れる体調との間にも上述の関係と同様の関係が確認されている。但し、両足間で測定されたＢＩの場合に最も顕著に上述の関係が見出されたので、判定時には両足間で測定されたＢＩを使用するのが好ましいと考える。
【００２９】
続いて、本発明の好適な実施例を図面に基づいて説明する。
【００３０】
図９は、本発明に係る婦人用体調管理装置の第一実施例の外部構成を示す正面図である。図９に示すように、婦人用体調管理装置１０は、体重計付き生体電気インピーダンス計２０と、この体重計付き生体電気インピーダンス計２０に電気ケーブル３０を介して接続された制御ボックス４０とから構成されている。本実施例では、体重計付き生体電気インピーダンス計２０と制御ボックス４０とは通常の電気ケーブル３０を介して相互に接続されているが、例えば赤外線による無線通信を介して接続されても良い。
【００３１】
体重計付き生体電気インピーダンス計２０の上面には、定電流印加用電極２１ａ、２１ｂ及び電圧測定用電極２２ａ、２２ｂが設けられており、また、制御ボックス４０の前面には、電源スイッチ４１ａ、測定キー４１ｂ、アップキー４１ｃ、ダウンキー４１ｄ、月経開始日キー４１ｅ、月経終了日キー４１ｆといった一群の操作キー、及び、アドバイス表示領域４２ｂを含む表示部４２ａが設けられている。
【００３２】
図１０は、図９に示した婦人用体調管理装置の機能構成を示すブロック図である。図１０に示されるように、体重計付き生体電気インピーダンス計２０には、定電流印加用電極２１ａ、２１ｂと、定電流印加用電極２１ａ、２１ｂに印加される高周波の微弱な定電流を生成するための高周波定電流回路２３と、電圧測定用電極２２ａ、２２ｂと、電圧測定用電極２２ａ、２２ｂ間の電圧を測定するための電圧測定回路２４と、被判定者の体重を測定するための体重測定装置２５と、測定された電圧及び体重をＡ／Ｄ変換するためのＡ／Ｄ変換器２８とが備えられている。
【００３３】
また、制御ボックス４０には、測定開始の指示や月経期間データの入力等のための一群の操作キー４１ａから４１ｆを含むデータ入力装置４１と、測定されたＢＩの推移や判定された体調等を表示するための表示部４２ａを含む表示装置４２と、測定日時等を計時するための時計装置４３と、測定されたＢＩや計時された測定日時等を記憶するための記憶装置４４と、入力装置４１によって入力された月経期間データや測定されたＢＩ及び体重等のデータに基づいて婦人の月周期で現れる体調を判定したり、記憶装置４４への各種データの記憶や表示装置４２への各種データの表示を制御したりするためのＣＰＵ４５とが備えられている。
【００３４】
本実施例では、各機能要素が上述のように体重計付き生体電気インピーダンス計２０と制御ボックス４０とに分離されているが、本発明はこれに限られず、例えばＣＰＵ４５は制御ボックス４０ではなく体重計付き生体電気インピーダンス計２０に備えられていても良く、また、体重計付き生体電気インピーダンス計２０と制御ボックス４０とが一体となった構成とされていても良い。
【００３５】
次に、上述したような実施例の婦人用体調測定装置の動作に関連させて、本発明による婦人用体調判定方法について詳述する。
【００３６】
図１１は、本発明に係る婦人の月周期で現れる体調を判定するための手順を示すフローチャートである。ステップ１では、被判定者は電源スイッチ４１ａを押下して婦人用体調管理装置１０の電源をオンにする。ステップ２では、被判定者が測定キー４１ｂを押下したならば、婦人用体調管理装置１０は測定モードとなってステップ３に移り、押下しなければ月経期間データ入力モードとなってステップ１０に移る。
【００３７】
ステップ３から、測定モードが始まる。被判定者が左足裏及び右足裏のつま先を定電流印加用電極２１ａ及び２１ｂにそれぞれ接触させ、また、左足裏及び右足裏のかかとを電圧測定用電極２２ａ、２２ｂにそれぞれ接触させて、体重計付き生体電気インピーダンス計１０に素足で乗ると、体重測定装置２５は重量を検知して被判定者の体重の測定を開始する。続いて、ステップ４では、高周波定電流回路２３によって生成された高周波の微弱な定電流が、定電流印加用電極２１ａ及び２１ｂを介して被判定者のつま先に印加され、被判定者の下腹部を含む両足間に流される。そして、電圧測定回路２４によって電圧測定用電極２２ａ、２２ｂ間の電圧が測定され、ＢＩが測定される。ステップ５では、ステップ４で測定されたＢＩが、上述したような補正式に基づいて補正される。これにより、体重変化の影響が除去された体重補正ＢＩが算定される。
【００３８】
ステップ６では、ＣＰＵ２５において、上述したようなＢＩと婦人の月周期で現れる体調との関係に基づいて、ステップ５で得られた今回測定された体重補正ＢＩや記憶装置４４に記憶されている前回までに測定された体重補正ＢＩ、同じく記憶装置４４に記憶されている月経期間データ等から被判定者の排卵日やＰＭＳ期等の体調が判定される。そして、ステップ７では、体重補正ＢＩの推移等が表示部４２ａに表示され、また、体調の判定結果や体調の判定結果に関連するアドバイス等が表示部４２ａ中のアドバイス表示領域４２ｂに表示される。アドバイス表示領域４２ｂに表示する体調の判定結果としては、例えば排卵日、ＰＭＳ期、月経期、妊娠可能期等といった体調や、体調不良期、イライラし易い、むくみ発生等といった体調に伴って現れる症状が表示される。また、体調の判定結果に関連するアドバイスとしては、例えば「月経前、ＰＭＳ期、むくみ、イライラし易いので注意、ビタミンＢを取りましょう」、「月経期間中、もう少し我慢、貧血に注意、鉄分を取りましょう」、「月経終了、絶好調、積極的に運動しましょう」、「排卵期、体調下降気味、食べ過ぎに注意しましょう」といった食生活を含む生活行動上の注意点等が表示される。ステップ８では、今回測定された体重補正ＢＩや体重等が記憶装置４４に記憶される。その後、ステップ９で、自動的に電源がオフにされ、測定は終了する。
【００３９】
また、ステップ１０から、月経期間データ入力モードが始まる。被判定者は、アップキー４１ｃもしくはダウンキー４１ｄを押下することにより所望の日付けを選択する。ステップ１１では、被判定者により月経開始日キー４１ｅが押下されたかが判断され、押下されている場合には、ステップ１２において、ステップ１０で選択された日付けが月経開始日として記憶装置４４に記憶される。一方、ステップ１１でキーが押下されていない場合には、ステップ１３で、被判定者により月経終了日キー４１ｆが押下されたかが判断され、押下されている場合には、ステップ１４において、ステップ１０で選択された日付けが月経終了日として記憶装置４４に記憶される。
その後、ステップ９で、自動的に電源がオフにされ、入力は終了する。
【００４０】
次いで、本発明の更に別の実施例について説明する。図１２は、本発明に係る婦人用体調管理装置の第ニ実施例の外部構成を示す斜視図である。本実施例の婦人用体調管理装置５０は、体重計付き生体電気インピーダンス計と制御ボックスとに分離されていない両者一体型の構成となっており、また、体温測定が可能となっている点において図９に示した第一実施例のものとは異なっている。婦人用体調管理装置５０の上面には、定電流印加用電極５１ａ、５１ｂ、電圧測定用電極５２ａ、５２ｂと、操作キー５３と、表示部５４とが設けられている。そして、定電流印加用電極５１ａ、５１ｂの先端部には体温測定用センサー５５ａ、５５ｂが設けられており、これらのセンサーを両足の指の間に挟むことにより、体温を測定できるようになっている。体温の測定手段としては、体温測定用センサーに限られず、例えば耳測定式の赤外線体温計を婦人用体調管理装置５０に接続しても良く、また、舌下測定式の基礎体温計を接続して、より精密な測定を可能にしても良い。測定された体温は、ＢＩと共に、ＣＰＵで実施される婦人の月周期で現れる体調を判定するためのデータとして使用され、これによって、より正確な体調判定が可能となる。
【００４１】
尚、上述した第一実施例及び第ニ実施例は両者共に両足間のＢＩを測定するようにされたものであるが、両手間もしくは手足間のＢＩを測定するようにされたものであっても良い。
【００４２】
また、複数名の測定データを記憶可能とし、被判定者を選択可能とするための選択キーを設けるなどして、１名だけでなく複数名が共同で使用可能な装置としても良い。
【００４３】
そして、また、測定されたＢＩを利用して、婦人の体調判定と共に体脂肪率の算出を可能とし、結果を表示部に表示するようにしても良い。更に、測定された体温や体重を、婦人の月周期で現れる体調を判定するためのデータとして利用するだけでなく、体温データや体重データとして表示部に表示するようにしても良く、これにより、本装置１台で従来の体温管理や体重管理、体脂肪管理を含む広範な体調管理が可能となる。
【００４４】
【発明の効果】
以上説明したように、本発明の婦人用体調管理装置では、基礎体温ではなくＢＩが測定されるので、数秒から数十秒の僅かな時間を要するのみで極めて迅速かつ容易に婦人の月周期で現れる体調を判定可能である。ＢＩの測定は起立位で行われるため、被判定者が測定中に再び眠ってしまい寝過してしまうようなおそれもない。また、ＢＩに基づいて体調を判定するので、基礎体温からは不可能であったむくみ及びＰＭＳの判定も可能となる。従って、本発明の婦人用体調管理装置は、バースコントロールのみならず婦人の日常の体調管理にも有用である。
【００４５】
また、本発明の婦人用体調管理装置に体重測定機能や体温測定機能を組み合わせることにより、体調判定の精度を向上させることができる。そして、また、本発明の婦人用体調管理装置において、測定された体重や体温を体調判定用のデータとして利用するだけでなく個別のデータとして表示可能としたり、更に、体脂肪測定機能を付加したりすることにより、本発明の装置１台で婦人の体調管理のみならず従来の体温管理や体重管理、体脂肪管理を含む総合的な体調管理が可能となる。
【図面の簡単な説明】
【図１】  婦人の月周期で現れる体調と基礎体温及びホルモンの分泌との関係を示す図である。
【図２】  ＢＩ及び基礎体温の推移を示す図である。
【図３】  体重の推移を示す図である。
【図４】  ＢＩと体重との相関関係を示す図である。
【図５】  体重補正ＢＩの推移を示す図である。
【図６】  体重補正ＢＩと基礎体温との相関関係を示す図である。
【図７】  体重補正ＢＩと婦人の月周期で現れる体調と基礎体温の推移を示す図である。
【図８】  体重補正ＢＩと婦人の月周期で現れる体調と基礎体温の推移を示す図である。
【図９】  本発明に係る婦人用体調管理装置の第一実施例の外部構成を示す正面図である。
【図１０】  図２に示した婦人用体調管理装置の機能構成を示すブロック図である。
【図１１】  本発明に係る婦人の月周期で現れる体調を判定するための手順を示すフローチャートである。
【図１２】  本発明に係る婦人用体調管理装置の第ニ実施例の外部構成を示す斜視図である。
【符号の説明】
１０、５０  婦人用体調管理装置
２０    体重計付き生体電気インピーダンス計
２１ａ、２１ｂ、５１ａ、５１ｂ  定電流印加用電極
２２ａ、２２ｂ、５２ａ、５２ｂ  電圧測定用電極
２３    高周波定電流回路
２４    電圧測定回路
２５    体重測定装置
３０    電気ケーブル
４０    制御ボックス
４１    データ入力装置
４１ａ  電源スイッチ
４１ｂ  測定キー
４１ｃ  アップキー
４１ｄ  ダウンキー
４１ｅ  月経開始日キー
４１ｆ  月経終了日キー
４２    表示装置
４２ａ、５４  表示部
４２ｂ  アドバイス表示領域
４３    時計装置
４４    記憶装置
４５    ＣＰＵ
５５ａ、５５ｂ  体温測定用センサー
５３    操作キー
【図１】
0003713407.tif 000002
【図２】
0003713407.tif 000003
【図３】
0003713407.tif 000004
【図４】
0003713407.tif 000005
【図５】
0003713407.tif 000006
【図６】
0003713407.tif 000007
【図７】
0003713407.tif 000008
【図８】
0003713407.tif 000009
【図９】
0003713407.tif 000010
【図１０】
0003713407.tif 000011
【図１１】
0003713407.tif 000012
【図１２】
0003713407.tif 000013